(57)【要約】【課題】プラズマディスプレイパネルの誤点灯に対する駆動マージンを確保するとともに書込み不良に対する駆動マージンをも確保する。【解決手段】１フィールド期間を初期化期間、書込み期間および維持期間を有する複数のサブフィールドで構成するとともに、複数のサブフィールドの初期化期間には全セル初期化動作または選択初期化動作を行うように構成し、かつ複数のサブフィールドのうちの少なくとも１つのサブフィールドの初期化期間の後に、走査電極に矩形波形電圧を印加する異常電荷消去期間を設け、さらに表示すべき画像信号のＡＰＬに基づいて異常電荷消去期間を制御するように構成するとともに、ＡＰＬがあらかじめ定めた所定のしきい値未満の場合に異常電荷消去期間を設けるサブフィールドは、ＡＰＬが所定のしきい値以上の場合に異常電荷消去期間を設けるサブフィールドよりも前に位置するサブフィールドとした。【選択図】図８
2009168978.tif 000002
【特許請求の範囲】
【請求項１】
走査電極および維持電極とデータ電極との交差部に放電セルを形成してなるプラズマディスプレイパネルの駆動方法であって、
１フィールド期間を初期化期間、書込み期間および維持期間を有する複数のサブフィールドで構成するとともに、前記複数のサブフィールドの初期化期間には、画像表示を行う全ての放電セルに対して初期化放電を発生させる全セル初期化動作、または直前のサブフィールドにおいて維持放電を発生した放電セルに対して選択的に初期化放電を発生させる選択初期化動作を行うように構成し、
かつ前記複数のサブフィールドのうちの少なくとも１つのサブフィールドの初期化期間の後に、前記走査電極に矩形波形電圧を印加する異常電荷消去期間を設け、さらに表示すべき画像信号のＡＰＬに基づいて前記異常電荷消去期間を制御するように構成するとともに、前記ＡＰＬがあらかじめ定めた所定のしきい値未満の場合に異常電荷消去期間を設けるサブフィールドは、前記ＡＰＬが前記所定のしきい値以上の場合に異常電荷消去期間を設けるサブフィールドよりも前に位置するサブフィールドとしたことを特徴とするプラズマディスプレイパネルの駆動方法。
【請求項２】
前記ＡＰＬがあらかじめ定めた所定のしきい値未満の場合には全セル初期化期間を有するサブフィールドに異常電荷消去期間を設け、前記ＡＰＬが前記所定のしきい値以上である場合には全セル初期化期間を有するサブフィールドに異常電荷消去期間を設けないように制御したことを特徴とする請求項１に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板上には、１対の走査電極と維持電極とからなる表示電極対が互いに平行に複数対形成され、それら表示電極対を覆うように誘電体層および保護層が形成されている。背面基板上には、複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極対とデータ電極とが立体交差するように前面基板と背面基板とが対向配置されて密封され、内部の放電空間には放電ガスが封入されている。ここで表示電極対とデータ電極とが対向する部分に放電セルが形成される。このような構成のパネルにおいて、各放電セル内でガス放電により紫外線を発生させ、この紫外線で赤、緑、青の各色の蛍光体を励起発光させてカラー表示を行っている。
【０００３】
パネルを駆動する方法としては、サブフィールド法、すなわち、１フィールド期間を複数のサブフィールドに分割したうえで、発光させるサブフィールドの組み合わせによって階調表示を行う方法が一般的である。また、サブフィールド法の中でも、階調表示に関係しない発光を極力減らして黒輝度の上昇を抑え、コントラスト比を向上した新規な駆動方法が開示されている（例えば、特許文献１参照）。
【０００４】
以下にその駆動方法について簡単に説明する。各サブフィールドはそれぞれ初期化期間、書込み期間および維持期間を有する。初期化期間は、続く書込み動作のために必要な壁電荷を形成する初期化動作を行う。なお初期化期間には、画像表示を行う全ての放電セルに対して初期化放電を行う全セル初期化動作と直前のサブフィールドにおいて維持放電を行った放電セルに対して選択的に初期化放電を行う選択初期化動作とのいずれかの初期化動作を行う。以下、全セル初期化動作を行う初期化期間を「全セル初期化期間」、選択初期化動作を行う初期化期間を「選択初期化期間」と称する。
【０００５】
続く書込み期間では、走査電極に走査パルスを順次印加するとともに、データ電極には表示すべき画像信号に対応した書込みパルスを印加し、走査電極とデータ電極との間で選択的に書込み放電を起こし、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。
【０００６】
画像を正しく表示するためには書込み期間における選択的な書込み放電を確実に行うことが重要であるが、そのためには書込み動作のための準備となる初期化動作を確実に行うことが重要となる。
【０００７】
しかしながら、全セル初期化動作においてはデータ電極を陰極とする放電を発生させる必要があるが、データ電極側には電子放出係数の小さい蛍光体が塗布されているため初期化放電が不安定となり異常な壁電荷が蓄積されることがあった。これにより、発光すべきでない放電セルで維持放電が発生する誤動作（以下、「誤点灯」と略記する）が生じ、画像表示品質を低下させる課題があった。さらに、この現象はパネルに封入されている放電ガスのキセノン分圧を増加させると顕著になる傾向がある。
【０００８】
そのため、全セル初期化期間の直後に異常電荷消去期間を設け、走査電極に矩形波形電圧を印加して異常な壁電荷を蓄積している放電セルに対して異常な壁電圧を消去する自己消去放電を発生させて、この課題を改善していた（例えば、特許文献２参照）。
【０００９】
しかしながら、点灯セルと非点灯セルが混在する場合には、放電開始電圧が低下する等の理由により、全セル初期化動作の直後に異常電荷消去期間を設けると、異常な壁電圧が蓄積されていない放電セルであっても自己消去放電が発生することがあった。そしてその場合には、その後の書込み期間において書込み放電を発生させることができず、発光すべき放電セルで維持放電が発生しなくなる誤動作（以下、「書込み不良」と略記する）が生じ、画質を著しく悪化させる原因となることがあった。
【００１０】
そのため、全セル初期化期間を有するサブフィールドには異常電荷消去期間を設けずに、その後の選択初期化期間を有するサブフィールドに異常電荷消去期間を設けることにより書込み不良に対する駆動電圧マージンを拡大させる提案がなされている（例えば、特許文献３参照）。
【特許文献１】特開２０００−２４２２２４号公報
【特許文献２】特開２００５−３２６６１２号公報
【特許文献３】特開２００６−３０８６２６号公報
【発明の開示】
【発明が解決しようとする課題】
【００１１】
上述したように、全セル初期化期間を有するサブフィールドには異常電荷消去期間を設けず、その後の選択初期化期間を有するサブフィールドに異常電荷消去期間を設けることにより書込み不良に対する駆動マージンを拡大させることができる。しかしながら、誤点灯に対する駆動マージンが減少してしまうという課題があった。このように、誤点灯に対する駆動マージンと書込み不良に対する駆動マージンとは一般にトレードオフの関係にあり、これらを両立させることが難しかった。
【００１２】
本発明は、これらの課題に鑑みなされたものであり、誤点灯に対する駆動マージンを確保するとともに書込み不良に対する駆動マージンをも確保することによって、品質のよい画像を表示させることができるパネルの駆動方法を提供することを目的とする。
【課題を解決するための手段】
【００１３】
上記目的を達成するために本発明は、走査電極および維持電極とデータ電極との交差部に放電セルを形成してなるパネルの駆動方法であって、１フィールド期間を初期化期間、書込み期間および維持期間を有する複数のサブフィールドで構成するとともに、複数のサブフィールドの初期化期間には、画像表示を行う全ての放電セルに対して初期化放電を発生させる全セル初期化動作、または直前のサブフィールドにおいて維持放電を発生した放電セルに対して選択的に初期化放電を発生させる選択初期化動作を行うように構成し、かつ複数のサブフィールドのうちの少なくとも１つのサブフィールドの初期化期間の後に、走査電極に矩形波形電圧を印加する異常電荷消去期間を設け、さらに表示すべき画像信号のＡＰＬに基づいて異常電荷消去期間を制御するように構成するとともに、ＡＰＬがあらかじめ定めた所定のしきい値未満の場合に異常電荷消去期間を設けるサブフィールドは、ＡＰＬが所定のしきい値以上の場合に異常電荷消去期間を設けるサブフィールドよりも前に位置するサブフィールドとしたことを特徴とする。この方法により、誤点灯に対する駆動マージンを確保するとともに書込み不良に対する駆動マージンをも確保することによって、品質のよい画像を表示させることができるパネルの駆動方法を提供することができる。
【００１４】
また本発明のパネルの駆動方法は、ＡＰＬがあらかじめ定めた所定のしきい値未満の場合には全セル初期化期間を有するサブフィールドに異常電荷消去期間を設けて、ＡＰＬが所定のしきい値以上である場合には全セル初期化期間を有するサブフィールドに異常電荷消去期間を設けないように制御してもよい。この方法により、ＡＰＬが非常に低い画像を表示する場合の誤放電を効果的に抑制することができる。
【発明の効果】
【００１５】
本発明によれば、誤点灯に対する駆動マージンを確保するとともに書込み不良に対する駆動マージンをも確保することによって、品質のよい画像を表示させることができるパネルの駆動方法を提供することが可能となる。
【発明を実施するための最良の形態】
【００１６】
以下、本発明の実施の形態におけるパネルの駆動方法について、図面を用いて説明する。
【００１７】
（実施の形態）
図１は、本発明の実施の形態に用いるパネルの要部を示す斜視図である。パネル１０は、ガラス製の前面基板１２と背面基板１３とを対向配置して、その間に放電空間を形成するように構成されている。前面基板１２上には表示電極対を構成する走査電極１４と維持電極１５とが互いに平行に対をなして複数形成されている。そして、走査電極１４および維持電極１５を覆うように誘電体層１６が形成され、誘電体層１６上には保護層１７が形成されている。保護層１７としては安定した放電を発生させるために二次電子放出係数が大きくかつ耐スパッタ性の高い材料が望ましく、本実施の形態においてはＭｇＯ薄膜が用いられている。
【００１８】
背面基板１３上には絶縁体層１８で覆われた複数のデータ電極１９が付設され、データ電極１９の間の絶縁体層１８上にデータ電極１９と平行して隔壁２０が設けられている。また、絶縁体層１８の表面および隔壁２０の側面に蛍光体層２１が設けられている。そして、走査電極１４および維持電極１５とデータ電極１９とが交差する方向に前面基板１２と背面基板１３とを対向配置しており、その間に形成される放電空間には、放電ガスとして、例えばネオンとキセノンの混合ガスが封入されている。本実施の形態においてはパネル１０の発光効率を向上させるために、パネル１０に封入されている放電ガスのキセノン分圧を１０％と高くしている。
【００１９】
図２は、本発明の実施の形態におけるパネル１０の電極配列図である。行方向にｎ本の走査電極ＳＣ１〜ＳＣｎ（図１の走査電極１４）およびｎ本の維持電極ＳＵ１〜ＳＵｎ（図１の維持電極１５）が交互に配列され、列方向にｍ本のデータ電極Ｄ１〜Ｄｍ（図１のデータ電極１９）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２０】
図３は、本発明の実施の形態におけるパネル１０の駆動方法を使用するプラズマディスプレイ装置３０の回路ブロック図である。このプラズマディスプレイ装置３０は、パネル１０、画像信号処理回路３１、データ電極駆動回路３２、走査電極駆動回路３３、維持電極駆動回路３４、タイミング発生回路３５、ＡＰＬ（アベレージ・ピクチャ・レベル）算出回路３９および電源回路（図示せず）を備えている。
【００２１】
画像信号処理回路３１は、入力された画像信号をサブフィールド毎の発光・非発光を示す画像データに変換する。データ電極駆動回路３２は、サブフィールド毎の画像データを各データ電極Ｄ１〜Ｄｍに対応する信号に変換し各データ電極Ｄ１〜Ｄｍを駆動する。ＡＰＬ算出回路３９は画像信号のＡＰＬを算出する。具体的には、例えば画像信号の輝度値を１フィールド期間または１フレーム期間にわたって累積する等の一般に知られた手法を用いることによってＡＰＬを算出することができる。
【００２２】
タイミング発生回路３５は、水平同期信号、垂直同期信号およびＡＰＬに基づき各回路を制御するタイミング信号を発生する。本実施の形態においては、タイミング発生回路３５はＡＰＬ算出回路３９から出力されるＡＰＬに基づいて、１フィールドを構成する各々のサブフィールドの初期化動作を全セル初期化か選択初期化かのいずれかに決定し、かつ異常電荷消去期間を配置するサブフィールドを決定する。
【００２３】
走査電極駆動回路３３は、タイミング信号に基づいて走査電極ＳＣ１〜ＳＣｎに駆動電圧波形を供給し、維持電極駆動回路３４は、タイミング信号に基づいて維持電極ＳＵ１〜ＳＵｎに駆動電圧波形を供給する。
【００２４】
具体的なサブフィールドの構成については後述することとし、まずパネル１０の各電極に印加する駆動電圧波形とその動作について説明する。サブフィールドには、初期化期間に全セル初期化動作を行いその後に異常電荷消去期間を配置するサブフィールド（全セル初期化・異常電荷消去サブフィールド）と、初期化期間に全セル初期化動作を行いその後に異常電荷消去期間を配置しないサブフィールド（全セル初期化サブフィールド）と、初期化期間に選択初期化動作を行いその後に異常電荷消去期間を配置するサブフィールド（選択初期化・異常電荷消去サブフィールド）と、初期化期間に選択初期化動作を行いその後に異常電荷消去期間を配置しないサブフィールド（選択初期化サブフィールド）とがある。以下、それぞれのサブフィールドについて説明する。
【００２５】
まず、全セル初期化・異常電荷消去サブフィールドについて説明する。図４は、本発明の実施の形態における全セル初期化・異常電荷消去サブフィールドの駆動電圧波形図である。
【００２６】
初期化期間の前半部では、維持電極ＳＵ１〜ＳＵｎおよびデータ電極Ｄ１〜Ｄｍを０（Ｖ）に保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、走査電極ＳＣ１〜ＳＣｎを陽極とし維持電極ＳＵ１〜ＳＵｎおよびデータ電極Ｄ１〜Ｄｍを陰極とする微弱な初期化放電が発生する。こうして、全ての放電セルにおいて１回目の微弱な初期化放電を発生し、走査電極ＳＣ１〜ＳＣｎ上に負の壁電圧を蓄えるとともに維持電極ＳＵ１〜ＳＵｎ上およびデータ電極Ｄ１〜Ｄｍ上に正の壁電圧を蓄える。ここで、電極上の壁電圧とは、電極を覆う誘電体層上あるいは蛍光体層上に蓄積した壁電荷により生じる電圧をあらわす。
【００２７】
初期化期間の後半部では、維持電極ＳＵ１〜ＳＵｎを正の電圧Ｖｅに保ち、走査電極ＳＣ１〜ＳＣｎに電圧Ｖｉ３から電圧Ｖｉ４に向かって緩やかに下降するランプ電圧を印加する。すると、全ての放電セルにおいて、走査電極ＳＣ１〜ＳＣｎを陰極とし維持電極ＳＵ１〜ＳＵｎおよびデータ電極Ｄ１〜Ｄｍを陽極とする２回目の微弱な初期化放電を起こす。そして、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧も書込み動作に適した値に調整される。このように、全セル初期化・異常電荷消去サブフィールドの初期化動作は全ての放電セルにおいて初期化放電させる全セル初期化動作である。
【００２８】
続く異常電荷消去期間では、再び維持電極ＳＵ１〜ＳＵｎを０（Ｖ）に戻す。そして、走査電極ＳＣ１〜ＳＣｎには放電開始電圧に満たない正の電圧Ｖｓを印加した後、負の電圧Ｖａを印加する。このようにして走査電極ＳＣ１〜ＳＣｎに矩形波形電圧を印加する。この間、安定した初期化放電を行った放電セルにおいては放電は発生せず、壁電圧も初期化期間後半部の状態を保持する。しかしながら、走査電極ＳＣｉ上に正の異常な壁電荷が蓄積している放電セルに対しては、走査電極ＳＣ１〜ＳＣｎに電圧Ｖｓ印加すると放電開始電圧を超えるので強い放電が発生し走査電極ＳＣｉ上の壁電圧が反転する。そして走査電極ＳＣ１〜ＳＣｎに負の電圧Ｖａを印加すると自己消去放電が発生し放電セル内部の壁電圧が消去される。
【００２９】
続く書込み期間では、維持電極ＳＵ１〜ＳＵｎを正の電圧Ｖｅに保ち、走査電極ＳＣ１〜ＳＣｎを一旦電圧Ｖｃに保持する。次に、データ電極Ｄ１〜Ｄｍのうち、１行目に表示すべき放電セルのデータ電極Ｄｋに電圧Ｖｄの書込みパルスを印加するとともに、１行目の走査電極ＳＣ１に負の電圧Ｖａの走査パルスを印加する。このとき、データ電極Ｄｋと走査電極ＳＣ１との交差部の電圧は、外部印加電圧（Ｖｄ−Ｖａ）にデータ電極Ｄｋ上の壁電圧および走査電極ＳＣ１上の壁電圧の大きさが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に表示すべき放電セルで書込み放電を起こして各電極上に壁電圧を蓄積する書込み動作が行われる。
【００３０】
一方、書込みパルスを印加しなかったデータ電極と走査電極ＳＣ１との交差部の電圧は放電開始電圧を超えないので、書込み放電は発生しない。また、初期化期間の異常電荷消去期間で放電を起こした放電セルはデータ電極上の壁電圧も消去されているため書込み放電が発生しない。以上の書込み動作をｎ行目の放電セルに至るまで順次行い、書込み期間が終了する。
【００３１】
続く維持期間では、まず、維持電極ＳＵ１〜ＳＵｎを０（Ｖ）に戻し、走査電極ＳＣ１〜ＳＣｎに電圧Ｖｓの維持パルスを印加する。このとき、書込み放電を起こした放電セルにおいては、走査電極ＳＣｉ上と維持電極ＳＵｉ上との間の電圧は、電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり、走査電極ＳＣｉ上に負の壁電圧が蓄積され、維持電極ＳＵｉ上に正の壁電圧が蓄積される。このときデータ電極Ｄｋ上にも正の壁電圧が蓄積される。書込み期間において書込み放電が起きなかった放電セルでは維持放電は発生せず、初期化期間の終了時における壁電圧状態が保持される。
【００３２】
続いて、走査電極ＳＣ１〜ＳＣｎを０（Ｖ）に戻し、維持電極ＳＵ１〜ＳＵｎに電圧Ｖｓの維持パルスを印加する。すると、維持放電を起こした放電セルでは、維持電極ＳＵｉ上と走査電極ＳＣｉ上との間の電圧は放電開始電圧を超えるので、再び維持電極ＳＵｉと走査電極ＳＣｉとの間に維持放電が起こり、維持電極ＳＵｉ上に正の壁電圧が蓄積され走査電極ＳＣｉ上に正の壁電圧が蓄積される。
【００３３】
以降同様に、走査電極ＳＣ１〜ＳＣｎと維持電極ＳＵ１〜ＳＵｎとに交互に維持パルスを印加することにより、書込み期間において書込み放電を起こした放電セルでは維持放電が継続して行われる。なお、維持期間の最後には走査電極ＳＣ１〜ＳＣｎと維持電極ＳＵ１〜ＳＵｎとの間にいわゆる細幅パルスを印加して、データ電極Ｄｋ上の正の壁電荷を残したまま、走査電極ＳＣ１〜ＳＣｎ上および維持電極ＳＵ１〜ＳＵｎ上の壁電圧を消去している。こうして維持期間における維持動作が終了する。
【００３４】
次に、全セル初期化サブフィールドについて説明する。図５は、本発明の実施の形態における全セル初期化サブフィールドの駆動電圧波形図である。
【００３５】
初期化期間の前半部および初期化期間の後半部の駆動電圧波形は、上述した全セル初期化・異常電荷消去サブフィールドと同様であるため説明を省略する。
【００３６】
初期化期間の後には異常電荷消去期間が設けられておらず、書込み期間が続く。書込み期間の駆動電圧波形も、上述した全セル初期化・異常電荷消去サブフィールドと同様である。続く維持期間の駆動電圧波形も、上述した全セル初期化・異常電荷消去サブフィールドと同様である。
【００３７】
次に、選択初期化・異常電荷消去サブフィールドについて説明する。図６は、本発明の実施の形態における選択初期化・異常電荷消去サブフィールドの駆動電圧波形図である。
【００３８】
初期化期間では、維持電極ＳＵ１〜ＳＵｎを電圧Ｖｅに保持し、データ電極Ｄ１〜Ｄｍを０（Ｖ）に保持し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を行った放電セルでは、微弱な初期化放電が発生し、走査電極ＳＣ１上および維持電極ＳＵｉ上の壁電圧が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００３９】
続く、異常電荷消去期間、書込み期間、維持期間の駆動電圧波形は、上述した全セル初期化・異常電荷消去サブフィールドと同様であるため説明を省略する。
【００４０】
次に、選択初期化サブフィールドについて説明する。図７は、本発明の実施の形態における選択初期化サブフィールドの駆動電圧波形図である。
【００４１】
初期化期間の駆動電圧波形は、上述した選択初期化・異常電荷消去サブフィールドと同様であるため説明を省略する。
【００４２】
初期化期間の後には異常電荷消去期間が設けられておらず、書込み期間が続く。書込み期間の駆動電圧波形および維持期間の駆動電圧波形も、上述した選択初期化・異常電荷消去サブフィールドと同様である。
【００４３】
次に、サブフィールド構成について説明する。本実施の形態においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みをもつものとする。このように、後ろのサブフィールドほど輝度重みが大きくなるように構成している。そして本実施の形態においては、第１ＳＦの初期化期間には全セル初期化を行い、第２ＳＦ〜第１０ＳＦの初期化期間には選択初期化動作を行う。そして上述したように、タイミング発生回路３５は、ＡＰＬに基づいて異常電荷消去期間を設けるサブフィールドを決定している。
【００４４】
図８は、本発明の実施の形態におけるＡＰＬとサブフィールド構成との関係を示す図である。なお図８に示した駆動電圧波形はサブフィールド構成を示す模式図であり、波形の詳細は図４〜図７に示したとおりである。本実施の形態においては所定のしきい値を５％と設定し、ＡＰＬが５％未満の場合には第２ＳＦに異常電荷消去期間を設け、ＡＰＬが５％以上の場合には第４ＳＦに異常電荷消去期間を設けている。このようにＡＰＬがあらかじめ定められた所定のしきい値５％未満である場合に最初に異常電荷消去期間を設けるサブフィールドは第２ＳＦであり、ＡＰＬが所定のしきい値５％以上である場合に最初に異常電荷消去期間を設ける第４ＳＦよりも前に配置する。
【００４５】
このように異常電荷消去期間をＡＰＬに基づいて設定する理由は以下のとおりである。第１ＳＦの初期化期間において全セル初期化動作を行う際に不安定な初期化放電が生じて異常電荷が蓄積された放電セルでは、続く維持期間および異常電荷消去期間のいずれかの期間に放電する可能性がある。どちらの期間で放電を発生するかは確率の問題であるが、おおむね電圧Ｖｓを印加する累積時間と相関があると考えることができる。
【００４６】
そのため、異常電荷消去期間において走査電極に電圧Ｖｓを印加する矩形波形電圧の印加時間を維持パルスのパルス幅よりもはるかに長く設定して、異常電荷消去期間に放電する可能性を高めている。また維持期間で放電を発生する確率は、維持パルス数の多いサブフィールド、すなわち輝度重みの大きいサブフィールドで高くなる。
【００４７】
また、維持期間および異常電荷消去期間のどちらの期間で放電を発生するかにより、その後の放電セルの動作が異なる。異常電荷消去期間に放電した場合には、その放電に伴う輝度は低いものの、放電により壁電圧が消去されるので、次に全セル初期化動作を行うまでは書込み動作ができなくなり、書込み不良が発生する。一方、維持期間に放電した場合には誤点灯となる。そしてその輝度は、誤点灯が発生したサブフィールドの維持パルスが続く限り放電し続けるので、輝度重みの大きいサブフィールドほど輝度が高くなる傾向がある。しかし一旦維持放電が発生すると、続く初期化期間において正常に初期化動作が行われるので、以降のサブフィールドでは書込み不良は発生しない。
【００４８】
以上の理由により、誤点灯を抑制するためには全セル初期化動作の後、できるだけ前に異常電荷消去期間を設けることが望ましい。一方、書込み不良を抑制するためには維持期間に放電を発生させたほうがよく、異常電荷消去期間は輝度重みの比較的小さいサブフィールドの後に設けることが望ましい。
【００４９】
そのため本実施の形態においては、ＡＰＬが５％未満の暗い画像を表示する場合には誤点灯を抑制するために第２ＳＦに異常電荷消去期間を設け、ＡＰＬが５％以上の明るい画像を表示する場合には書込み不良を抑制するために異常電荷消去期間を、第４ＳＦに設けている。
【００５０】
加えて、本発明者らは、放電セルの放電開始電圧について検討し、維持放電を行わなかった放電セルの放電開始電圧は維持放電を行った放電セルの放電開始電圧より低く、この傾向はＡＰＬの高い画像ほど強くなることを実験的に見出した。すなわち、ＡＰＬの高い画像を表示する際に維持放電を行わなかった放電セルの放電開始電圧は、ＡＰＬの低い画像を表示する際に維持放電を行わなかった放電セルの放電開始電圧よりもさらに低くなった。
【００５１】
この点に考慮すると、ＡＰＬの高い画像を表示する際に、仮に全セル初期化動作の後できるだけ前に異常電荷消去期間を設けたと仮定すると、維持放電を行わなかった放電セルの放電開始電圧は非常に低くなっているので、異常電荷の蓄積の少ない放電セルであっても異常電荷消去期間で放電が発生して書込み不良になる確率が高くなる。しかし本実施の形態においては、輝度重みの比較的小さいサブフィールドの後に異常電荷消去期間を設けているので、輝度重みの比較的小さいサブフィールドの維持期間で放電が発生し、その後の書込み不良を防ぐことができる。そして一旦維持放電が発生すると放電開始電圧が上昇するため、それ以降の誤点灯も防ぐこともできる。
【００５２】
また、ＡＰＬの低い画像を表示する際に、仮に後ろのサブフィールドに異常電荷消去期間を設けたと仮定すると、放電開始電圧が高く放電が発生しにくいため異常電荷の蓄積した放電セルは維持パルス数の少ない維持期間には放電せず、輝度重みの大きいサブフィールドで放電して輝度の高い誤点灯につながる確率が高くなる。しかし本実施の形態においては、全セル初期化動作の後できるだけ前に配置されたサブフィールドに異常電荷消去期間を設けているので、異常電荷の蓄積した放電セルは異常電荷消去期間に放電し、誤点灯を防ぐことができる。
【００５３】
以上の理由により、本実施の形態においては、ＡＰＬが低い画像を表示する場合に最初に異常電荷消去期間を設けるサブフィールドは、ＡＰＬが高い画像を表示する場合に最初に異常電荷消去期間を設けるサブフィールドよりも前に配置するように、異常電荷消去期間を設けるサブフィールドを切り替えている。
【００５４】
なお本実施の形態においては、所定のしきい値を１つだけ設定して、サブフィールド構成を切り替えるものとして説明したが、しきい値を複数設定してもよい。図９は、本発明の他の実施の形態におけるＡＰＬとサブフィールド構成との関係を示す図である。なお図９に示した駆動電圧波形はサブフィールド構成を示す模式図であり、波形の詳細は図４〜図７に示したとおりである。図９に示した実施の形態においては、１％および５％の２つの所定のしきい値を設定し、ＡＰＬが１％未満の場合には第１ＳＦに異常電荷消去期間を設け、ＡＰＬが１％以上５％未満の場合には第２ＳＦに異常電荷消去期間を設け、ＡＰＬが５％以上の場合には第４ＳＦに異常電荷消去期間を設けている。このように複数のしきい値を設け、ＡＰＬが非常に低い画像を表示する場合には全セル初期化期間を有するサブフィールドに異常電荷消去期間を設けることにより、誤放電を抑制している。
【００５５】
なお、本発明は、サブフィールド数や各サブフィールドの輝度重みが上記の値に限定されるものではなく、他のサブフィールド構成においても同様に適用することができる。
【００５６】
さらに、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５７】
本発明は、パネルの誤点灯に対する駆動マージンを確保するとともに書込み不良に対する駆動マージンをも確保することができるので、パネルの駆動方法として有用である。
【図面の簡単な説明】
【００５８】
【図１】本発明の実施の形態に用いるパネルの要部を示す斜視図
【図２】本発明の実施の形態におけるパネルの電極配列図
【図３】本発明の実施の形態におけるパネルの駆動方法を使用するプラズマディスプレイ装置の回路ブロック図
【図４】本発明の実施の形態における全セル初期化・異常電荷消去サブフィールドの駆動電圧波形図
【図５】本発明の実施の形態における全セル初期化サブフィールドの駆動電圧波形図
【図６】本発明の実施の形態における選択初期化・異常電荷消去サブフィールドの駆動電圧波形図
【図７】本発明の実施の形態における選択初期化サブフィールドの駆動電圧波形図
【図８】本発明の実施の形態におけるＡＰＬとサブフィールド構成との関係を示す図
【図９】本発明の他の実施の形態におけるＡＰＬとサブフィールド構成との関係を示す図
【符号の説明】
【００５９】
１０    パネル
１２    前面基板
１３    背面基板
１４    走査電極
１５    維持電極
１９    データ電極
【図１】
2009168978.tif 000003
【図２】
2009168978.tif 000004
【図３】
2009168978.tif 000005
【図４】
2009168978.tif 000006
【図５】
2009168978.tif 000007
【図６】
2009168978.tif 000008
【図７】
2009168978.tif 000009
【図８】
2009168978.tif 000010
【図９】
2009168978.tif 000011